(57)【要約】【課題】リチウムイオンキャパシタにおいて、過充電または過放電の発生を抑制する。【解決手段】  リチウムイオンキャパシタセルＣ１，Ｃ２に、電圧設定用の分圧抵抗Ｒ１，Ｒ２を並列に接続するとともに、リチウムイオンキャパシタセルＣ１，Ｃ２と分圧抵抗Ｒ１，Ｒ２間に、直列にスイッチＳＷ１，ＳＷ２を設ける。温度変化検出回路２は、リチウムイオンキャパシタセルＣ１，Ｃ２の表面温度変化をサーミスタＴ１，Ｔ２からの入力信号に基づいて検出する。温度変化検出回路２は、表面温度の低下を検出すると、フォトカプラＣＰ１の入力回路に出力信号Ｉｄｏｕｔを出力する。この出力信号Ｉｄｏｕｔにより、フォトカプラＣＰ１の出力回路が導通し、外部電源ＶＤＤ２よりスイッチＳＷ１，ＳＷ２に電力が供給される。その結果、スイッチＳＷ１，ＳＷ２が導通し、分圧抵抗Ｒ１，Ｒ２により、リチウムイオンキャパシタセルＣ１，Ｃ２の分担電圧の均一化が行われる。【選択図】図１
2013187969.tif 000002
【特許請求の範囲】
【請求項１】
直列に接続した複数の蓄電素体のそれぞれに並列に接続され、当該蓄電素体の分担電圧を均等化する分圧抵抗と、
前記蓄電素体の表面温度を検出する温度検出手段と、
前記温度検出手段の検出信号に基づき、前記蓄電素体の表面温度の時間変化を検出する温度変化検出手段と、
前記分圧抵抗と前記蓄電素体との間に直列に接続され、前記温度変化検出手段が前記表面温度の低下を検出したときに、前記分圧抵抗と前記蓄電素体とを導通させるスイッチ手段と、を備える
ことを特徴とする分担電圧均等化回路。
【請求項２】
前記蓄電素体は、リチウムイオンキャパシタセルである
ことを特徴とする請求項１に記載の分担電圧均等化回路。
【請求項３】
前記温度変化検出手段が前記蓄電素体の表面温度の低下を検出しないときは、前記スイッチ手段は、前記蓄電素体と前記分圧抵抗との電気的接続を遮断する
ことを特徴とする請求項１または請求項２に記載の分担電圧均等化回路。
【請求項４】
複数の蓄電素体を直列に接続した複数の蓄電ユニットと、
前記蓄電ユニットのそれぞれに並列に接続され、当該蓄電ユニットの分担電圧を均等化する分圧抵抗と、
前記蓄電ユニットの少なくとも一つの蓄電素体の表面温度を検出する温度検出手段と、
前記温度検出手段の検出信号に基づき、前記蓄電素体の表面温度の時間変化を検出する温度変化検出手段と、
前記分圧抵抗と前記蓄電ユニットとの間に直列に接続され、前記温度変化検出手段が前記表面温度の低下を検出したときに、前記分圧抵抗と前記蓄電ユニットとを導通させるスイッチ手段と、を備える
ことを特徴とする分担電圧均等化回路。
【請求項５】
直列に接続した複数のリチウムイオンキャパシタセルと、
前記リチウムイオンキャパシタセルと並列に接続され、前記リチウムイオンキャパシタセルの分担電圧を均等化させる分圧抵抗と、
前記リチウムイオンキャパシタセルの表面温度を検出する温度検出手段と、
前記温度検出手段の検出信号に基づいて、前記リチウムイオンキャパシタセルの表面温度の時間変化を検出する温度変化検出手段と、
前記分圧抵抗と前記リチウムイオンキャパシタセルとの間に直列に接続され、前記温度変化検出手段が前記表面温度の低下を検出したときに、前記分圧抵抗と前記リチウムイオンキャパシタセルとを導通させるスイッチ手段と、を備える
ことを特徴とするリチウムイオンキャパシタモジュール。
【請求項６】
リチウムイオンキャパシタセルの表面温度変化を検出し、前記リチウムイオンキャパシタセルの表面温度の変化に基づいて、前記リチウムイオンキャパシタセルの充電状態及び放電状態を検出する
ことを特徴とするリチウムイオンキャパシタセルの充放電状態検出方法。
【発明の詳細な説明】
【技術分野】
【０００１】
本発明は、直列接続された複数の蓄電素体の電圧均等化回路に関する。特に、リチウムイオンキャパシタモジュールの電圧均等化回路に関する。
【背景技術】
【０００２】
リチウムイオンキャパシタやリチウムイオン二次電池などの蓄電体は、ノートパソコンなどの小型機器から、産業用の機械・装置や自動車・電力設備など多様な用途への適用が進んでおり、高電圧が要求される用途への適用も図られている。実用的には、複数のセル（蓄電素体）を直列接続することで高電圧のモジュールを形成し、高電圧が要求される用途に対応している。
【０００３】
リチウムイオン二次電池や電気二重層キャパシタを複数用いて高電圧モジュールを形成する場合、セルを直列に接続することによって、容易にセルの数に応じた電圧を持つモジュールを構成することができる。しかし、一般的に各セルは特性が少しずつ異なっており、充電を行った際にこの特性の違いにより、セル間の分担電圧に差が生じる傾向がある。また、自己放電についても同様に特性が異なるため、自己放電によって電圧が低下するにつれてセル間の電圧差にばらつきが生じてしまう。この結果、特定のセルで過放電や過充電が発生し、これに伴いセルの性能劣化が起こり、最終的には故障へと至ってしまうことがある。
【０００４】
そのため、特許文献１のように、直列接続された電気二重層キャパシタでは、個々のセルに並列に分圧抵抗を設け、各セル間の電圧を調整する電圧均等化回路を設ける手法が用いられている。
【先行技術文献】
【特許文献】
【０００５】
【特許文献１】特開２００５−２６４５０号公報
【特許文献２】特開２００９−１００５８０号公報
【発明の概要】
【発明が解決しようとする課題】
【０００６】
しかしながら、リチウムイオンキャパシタは、二次電池と同様に、上限電圧のみならず下限電圧が存在する。そのために、単純にリチウムイオンキャパシタセルと並列に分圧抵抗を設けると、リチウムイオンキャパシタが常に放電状態に置かれるため、早期に過放電に至ってしまうおそれがある。
【０００７】
そこで、本発明は、リチウムイオンキャパシタに適用可能な電圧均等化回路を提供し、リチウムイオンキャパシタの過充電または過放電の発生を抑制することに貢献する技術の提供を目的としている。
【課題を解決するための手段】
【０００８】
上記目的を達成する本発明の分担電圧均等化回路は、充電時と放電時の蓄電素体表面温度の時間変化を検出し、検出された表面温度の時間変化に基づいて、蓄電素体の充電状態と放電状態を検出する。そして、蓄電素体が充電状態である場合にのみ、分圧抵抗により蓄電素体の分担電圧の均等化を行うものである。
【０００９】
すなわち、上記目的を達成する本発明の分担電圧均等化回路は、直列に接続した複数の蓄電素体のそれぞれに並列に接続され、当該蓄電素体の分担電圧を均等化する分圧抵抗と、前記蓄電素体の表面温度を検出する温度検出手段と、前記温度検出手段の検出信号に基づき、前記蓄電素体の表面温度の時間変化を検出する温度変化検出手段と、前記分圧抵抗と前記蓄電素体との間に直列に接続され、前記温度変化検出手段が前記表面温度の低下を検出したときに、前記分圧抵抗と前記蓄電素体とを導通させるスイッチ手段と、を備えることを特徴としている。
【００１０】
また、上記目的を達成する本発明の分担電圧均等化回路は、上記分担電圧均等化回路において、前記蓄電素体は、リチウムイオンキャパシタセルであることを特徴としている。
【００１１】
また、上記目的を達成する本発明の分担電圧均等化回路は、上記分担電圧均等化回路において、前記温度変化検出手段が前記蓄電素体の表面温度の低下を検出しないときは、前記スイッチ手段は、前記蓄電素体と前記分圧抵抗との電気的接続を遮断することを特徴としている。
【００１２】
また、上記目的を達成する本発明の電圧均等化回路は、複数の蓄電素体を直列に接続した複数の蓄電ユニットと、前記蓄電ユニットのそれぞれに並列に接続され、当該蓄電ユニットの分担電圧を均等化する分圧抵抗と、前記蓄電ユニットの少なくとも一つの蓄電素体の表面温度を検出する温度検出手段と、前記温度検出手段の検出信号に基づき、前記蓄電素体の表面温度の時間変化を検出する温度変化検出手段と、前記分圧抵抗と前記蓄電ユニットとの間に直列に接続され、前記温度変化検出手段が前記表面温度の低下を検出したときに、前記分圧抵抗と前記蓄電ユニットとを導通させるスイッチ手段と、を備えることを特徴としている。
【００１３】
また、上記目的を達成する本発明のリチウムイオンキャパシタモジュールは、直列に接続した複数のリチウムイオンキャパシタセルと、前記リチウムイオンキャパシタセルと並列に接続され、前記リチウムイオンキャパシタセルの分担電圧を均等化させる分圧抵抗と、前記リチウムイオンキャパシタセルの表面温度を検出する温度検出手段と、前記温度検出手段の検出信号に基づいて、前記リチウムイオンキャパシタセルの表面温度の時間変化を検出する温度変化検出手段と、前記分圧抵抗と前記リチウムイオンキャパシタセルとの間に直列に接続され、前記温度変化検出手段が前記表面温度の低下を検出したときに、前記分圧抵抗と前記リチウムイオンキャパシタセルとを導通させるスイッチ手段と、を備えることを特徴としている。
【００１４】
また、上記目的を達成する本発明のリチウムイオンキャパシタセルの充放電状態検出方法は、リチウムイオンキャパシタセルの表面温度変化を検出し、前記リチウムイオンキャパシタセルの表面温度の変化に基づいて、前記リチウムイオンキャパシタセルの充電状態及び放電状態を検出することを特徴としている。
【発明の効果】
【００１５】
以上の発明によれば、リチウムイオンキャパシタの過充電または過放電の発生を抑制することに貢献することができる。
【図面の簡単な説明】
【００１６】
【図１】本発明の実施形態に係る電圧均等化回路を備えるリチウムイオンキャパシタモジュールの構成を示す回路図である。
【図２】リチウムイオンキャパシタを４８Ａの放電電流で放電したときのセル電圧とリチウムイオンキャパシタの表面温度の時間変化を示す図である。
【図３】リチウムイオンキャパシタを２４Ａの充電電流で充電したときのセル電圧とリチウムイオンキャパシタの表面温度の時間変化を示す図である。
【図４】リチウムイオンキャパシタを１２Ａの放電電流で放電したときのセル電圧とリチウムイオンキャパシタの表面温度の時間変化を示す図である。
【発明を実施するための形態】
【００１７】
図面を参照して、本発明の実施形態に係る電圧均等化回路、リチウムイオンキャパシタモジュール、及びリチウムイオンキャパシタセルの充放電状態検出方法について詳細に説明する。
【００１８】
（実施形態）
図１は、本発明の実施形態に係る電圧均等化回路を備えるリチウムイオンキャパシタモジュール１の構成を示す回路図である。
【００１９】
リチウムイオンキャパシタセルＣ１，Ｃ２は、活性炭などを構成材料とした正極と、黒鉛やグラファイトなどを主とした負極をセパレータを介して対向させた構造となっており、正極は電気二重層キャパシタ、負極はリチウムイオン二次電池と同様の構成を有している。そして、その電極間は電解質塩を含む有機溶媒で満たされている。
【００２０】
このリチウムイオンキャパシタセルＣ１，Ｃ２を直列に接続することで、リチウムイオンキャパシタユニットが形成される。そして、リチウムイオンキャパシタユニットの両端の端子Ｐ及び端子Ｎには、図示省略するが、リチウムイオンキャパシタセルＣ１，Ｃ２の充電時には充電回路が、リチウムイオンキャパシタセルＣ１，Ｃ２の放電時にはリチウムイオンキャパシタセルＣ１，Ｃ２に蓄積されたエネルギーにより駆動される駆動回路が接続される。なお、リチウムイオンキャパシタセルＣ１，Ｃ２の個数は、２個に限定されるものではなく、リチウムイオンキャパシタモジュール１に要求される電圧に応じて、直列接続されるリチウムイオンキャパシタセルＣ１，Ｃ２の個数が決定される。
【００２１】
それぞれのリチウムイオンキャパシタセルＣ１，Ｃ２には、電圧設定用の分圧抵抗Ｒ１，Ｒ２がそれぞれ並列に接続されるとともに、各リチウムイオンキャパシタＣ１，Ｃ２と分圧抵抗Ｒ１，Ｒ２間には、それぞれ直列にスイッチＳＷ１，ＳＷ２が設けられる。
【００２２】
このスイッチＳＷ１，ＳＷ２には、フォトカプラＣＰ１の出力回路が接続され、フォトカプラＣＰ１の出力信号に応じてスイッチのオン・オフの切り換えが行われる。すなわち、スイッチＳＷ１，ＳＷ２がオン状態のとき、分圧抵抗Ｒ１，Ｒ２が、それぞれのリチウムイオンキャパシタセルＣ１，Ｃ２に並列に接続された状態となる。一方、スイッチＳＷ１，ＳＷ２がオフ状態のとき、分圧抵抗Ｒ１，Ｒ２が、リチウムイオンキャパシタセルＣ１，Ｃ２から電気的に切り離された状態となる。
【００２３】
ここで、フォトカプラＣＰ１の入力回路に出力信号Ｉｄｏｕｔを出力する温度変化検出回路２について説明する。
【００２４】
温度変化検出回路２は、リチウムイオンキャパシタＣ１，Ｃ２の表面温度の変化を検出し、表面温度の低下する割合が予め定められたしきい値以上である場合に、フォトカプラＣＰ１に出力信号Ｉｄｏｕｔを出力する。温度変化検出回路２は、外部電源ＶＤＤ１により駆動されており、タイマを備える。このタイマにより単位時間あたりの温度低下率を演算する。温度変化検出回路２には、リチウムイオンキャパシタセルＣ１，Ｃ２の表面（負極付近の表面）に設けられるサーミスタＴ１，Ｔ２からの信号がＡＤ変換器３を介して入力される。そして、各リチウムイオンキャパシタセルＣ１，Ｃ２の表面温度の単位時間あたりの変化を算出する。温度変化検出回路２は、表面温度の低下する割合が予め定められたしきい値（例えば、表面温度の低下が０．０１℃／ｓ）以上である場合に、フォトカプラＣＰ１の入力回路に出力信号Ｉｄｏｕｔを出力する。
【００２５】
フォトカプラＣＰ１の入力回路に温度変化検出回路２の出力信号Ｉｄｏｕｔが入力されると、フォトカプラＣＰ１の出力回路では、外部電源ＶＤＤ２より電力が供給されスイッチＳＷ１，ＳＷ２がオン状態となる。
（実施例）
具体的な実施例を示して、本発明の実施形態に係る電圧均等化回路及びリチウムイオンキャパシタモジュール１の動作について詳細に説明する。
【００２６】
図１に示す電圧均等化回路を備えたリチウムイオンキャパシタモジュール１（静電容量：２２００Ｆ）を定格電圧上限の３．８Ｖまで充電し、その後放電電流４８Ａで定格電圧下限の２．２Ｖまで放電した。この時のリチウムイオンキャパシタセルＣ１，Ｃ２の表面温度とセル電圧の時間変化を図２に示す。なお、サーミスタＴ１，Ｔ２は、リチウムイオンキャパシタモジュール１を外装するアルミラミネートフィルム表面であって、リチウムイオンキャパシタセルＣ１，Ｃ２の電極に接する箇所に設けた。
【００２７】
図２に示すように、放電時間の経過とともにセル表面温度が約５℃上昇した。よって、温度変化検出回路２は、表面温度の上昇を検出するので、温度変化検出回路２から出力信号Ｉｄｏｕｔは出力されない。その結果、フォトカプラＣＰ１の出力回路は非導通のままであり、スイッチＳＷ１，ＳＷ２のオフ状態（分圧抵抗Ｒ１，Ｒ２とリチウムイオンキャパシタセルＣ１，Ｃ２とが絶縁された状態）が維持される。すなわち、リチウムイオンキャパシタセルＣ１，Ｃ２の放電時には、分圧抵抗Ｒ１，Ｒ２がリチウムイオンキャパシタセルＣ１，Ｃ２から電気的に切り離された状態となっている。
【００２８】
次に、定格電圧下限の２．２Ｖまで放電した後のリチウムイオンキャパシタモジュール１を充電電流２４Ａで定格電圧上限の３．８Ｖまで充電した。このときのリチウムイオンキャパシタセルＣ１，Ｃ２の表面温度とセル電圧の時間変化を図３に示す。
【００２９】
図３に示すように、充電時間の経過とともにセル表面温度が約３℃低下した。よって、温度変化検出回路２では、表面温度の低下が検出される。検出された表面温度の低下する割合が予め定められたしきい値以上となった場合、温度変化検出回路２から、出力信号ＩｄｏｕｔがフォトカプラＣＰ１の入力回路に出力される。フォトカプラＣＰ１の入力回路に出力信号Ｉｄｏｕｔが入力されると、フォトカプラＣＰ１の出力回路が導通する。その結果、スイッチＳＷ１，ＳＷ２には外部電源ＶＤＤ２より電力が供給され、スイッチＳＷ１，ＳＷ２がオン状態（分圧抵抗Ｒ１，Ｒ２とリチウムイオンキャパシタセルＣ１，Ｃ２とが導通された状態）となる。その結果、リチウムイオンキャパシタセルＣ１，Ｃ２に並列に設けられた分圧抵抗Ｒ１，Ｒ２を含む回路が導通し、リチウムイオンキャパシタセルＣ１，Ｃ２の充電に伴って分圧抵抗Ｒ１，Ｒ２を利用して、リチウムイオンキャパシタセルＣ１，Ｃ２間の電圧均等化が図られる。その後、定格電圧に達し、定電圧充電または充電待機状態となると、表面温度の低下する割合（表面温度の時間変化）は、定格電圧に達する前の充電時と比較して小さくなる。そこで、温度変化検出回路２は、表面温度の時間変化が単位時間当たり０．０１℃未満となったら、出力信号Ｉｄｏｕｔの出力を停止する。出力信号Ｉｄｏｕｔの出力が停止することで、フォトカプラＣＰ１の出力回路が非導通となり、その結果、スイッチＳＷ１，ＳＷ２がオフ状態となる。そして、再び分圧抵抗Ｒ１，Ｒ２がリチウムイオンキャパシタセルＣ１，Ｃ２から電気的に切り離される。
【００３０】
さらに、この定格電圧上限の３．８Ｖまで充電されたリチウムイオンキャパシタモジュール１を放電電流１２Ａで定格電圧下限の２．２Ｖまで放電した。このときのリチウムイオンキャパシタセルＣ１，Ｃ２の表面温度とセル電圧の時間変化を図４に示す。
【００３１】
図４に示すように、放電時間の経過とともにセル表面温度が約４℃上昇した。よって、温度変化検出回路２は、表面温度の上昇を検出するので、温度変化検出回路２から、出力信号Ｉｄｏｕｔが出力されない。その結果、フォトカプラＣＰ１の出力回路は非導通のままであり、スイッチＳＷ１，ＳＷ２のオフ状態が維持される。すなわち、放電時には、分圧抵抗Ｒ１，Ｒ２がリチウムイオンキャパシタセルＣ１，Ｃ２から電気的に切り離された状態となっている。
【００３２】
以上のように、本発明の実施形態に係る電圧均等化回路を備えるリチウムイオンキャパシタモジュールによれば、リチウムイオンキャパシタの表面温度の変化に基づいて、リチウムイオンキャパシタモジュールの充電状態や放電状態を検出することができる。そして、充電状態である場合には、分圧抵抗を利用して各リチウムイオンキャパシタセルの電圧均等化を行うことができる。
【００３３】
よって、本発明の実施形態に係る電圧均等化回路、及びリチウムイオンキャパシタモジュールによれば、リチウムイオンキャパシタモジュールの充電時において、各セル間の分担電圧のばらつきを低減し、過充電を効果的に防止することができる。そして、リチウムイオンキャパシタモジュールの放電開始時には、セル電圧は均一となっているので、各リチウムイオンキャパシタセルに蓄積されたエネルギーも略均一とすることができ、特定のセルが過放電に至る可能性を低減することができる。
【００３４】
また、リチウムイオンキャパシタモジュールの放電時において、分圧抵抗がリチウムイオンキャパシタセルから電気的に切り離されていることから、放電時にリチウムイオンキャパシタセルに蓄積されたエネルギーが分圧抵抗によって消費されることがない。よって、放電時において、リチウムイオンキャパシタセルに蓄積されたエネルギーを効率的に利用することができる。
【００３５】
さらに、充電待機時や、保管時においても、分圧抵抗がリチウムイオンキャパシタセルから電気的に切り離されていることから、リチウムイオンキャパシタの長期間の保管が可能となる。つまり、エネルギー損失の少ない蓄電素体の電圧均等化回路を実現することができる。
【００３６】
リチウムイオンキャパシタモジュールは、予め負極にリチウムイオンを吸蔵させ、電位を持たせることで電気二重層キャパシタよりも高い２．２Ｖ〜３．８Ｖの動作電圧範囲を有する。この高い動作電圧により、電気二重層キャパシタと比較して３〜４倍の高エネルギーを蓄積させることが可能である。そのため、電気二重層キャパシタのエネルギー密度では不十分であった、高エネルギーを要する用途や、ある程度長い放電時間が必要な用途への適用が可能である。さらに、電源バックアップ用途などへの適用においても、電気二重層キャパシタや二次電池よりも優位性が得ることができる。しかしながら、リチウムイオンキャパシタモジュールは、予め電極に電位を持たせているため、並列に分圧抵抗を設けると、常に放電状態となり、早期に過放電に至ってしまう。
【００３７】
そこで、本発明のリチウムイオンキャパシタモジュール、及び本発明の電圧均等化回路は、リチウムイオンキャパシタが充電状態のときに分圧抵抗を利用したリチウムイオンキャパシタセル間の電圧均等化を行い、その他の場合には、分圧抵抗を回路から電気的に切り離した状態とする。その結果、充電時には、リチウムイオンキャパシタセルの電圧を均等化する電圧均等化回路を利用した充電が行うことができるとともに、放電時には、リチウムイオンキャパシタに蓄積されたエネルギーを効率よく駆動回路に供給することができる。
【００３８】
また、本発明のリチウムイオンキャパシタセルの充放電状態検出方法によれば、充電時と放電時の表面温度変化の違いに基づいて、リチウムイオンキャパシタセルの充放電状態を検出することができる。一般的な電気二重層キャパシタでは、充電・放電どちらの場合でも内部抵抗に依存した発熱が生じる。その結果、電気二重層キャパシタでは、充電・放電どちらの場合においても表面温度は上昇する。これに対し、リチウムイオンキャパシタは、充電時に表面温度が低下する。この傾向はリチウムイオンキャパシタに特有ものであると考えられる。なお、図２〜４の温度変化の傾きより、充電・放電時の温度変化は、充電（放電）電流の大きさに依存するものと考えられる。よって、充電・放電を判定するしきい値（単位時間当たりの温度の変化率）は、実施形態に限定するものでなく、充電（放電）電流の大きさに基づいて適宜設定するとよい。また、この温度変化は微小であるので、リチウムイオンキャパシタの外部の温度を測定し、外気温の温度の変化率と比較して、顕著にリチウムイオンキャパシタの表面温度変化に差が生じた場合にのみ、充電（放電）状態を判定する。また、リチウムイオンキャパシタの定格電圧（上限・下限ともに）に達した後のリチウムイオンキャパシタセルの表面温度変化は、定格電圧に達する前と比較して、温度変化が緩やかになっている。よって、リチウムイオンキャパシタセルの表面温度変化を検出することで、リチウムイオンキャパシタが定格電圧まで充電（または放電）されたことを検出することができる。
【００３９】
なお、本発明の分担電圧均等化回路、リチウムイオンキャパシタモジュール、リチウムイオンキャパシタセルの充放電状態検出方法は、上記の実施形態に限定されるものではなく、その効果を損なわない範囲で適宜設計変更が可能である。例えば、サーミスタの設けられる位置は、電極の温度変化が検出できる位置であれば実施形態に限定するものではなく、直接電極温度を測定する形態であってもよい。また、サーミスタは、電極温度を検出できるものであればよいので、例えば、熱電対などの測温機器を用いることができる。
【００４０】
また、複数のリチウムイオンキャパシタセルを直列に接続して一つのリチウムイオンユニットとして、このリチウムイオンユニットを直列に接続する場合において、本発明の電圧均等化回路を用いることで、各リチウムイオンユニットの分担電圧を均等することができる。
【００４１】
また、本発明の分担電圧均等化回路は、リチウムイオンキャパシタセルから構成される回路に限定されるものではなく、充電時と放電時における電極の温度変化が異なる蓄電素体から構成される回路に適用することで、エネルギー損失の少ない電圧均等化回路を実現することができる。
【符号の説明】
【００４２】
１…リチウムイオンキャパシタモジュール
２…温度変化検出回路（温度変化検出手段）
３…ＡＤ変換器
Ｃ１，Ｃ２…リチウムイオンキャパシタセル（蓄電素体）
ＣＰ１…フォトカプラ
Ｒ１，Ｒ２…分圧抵抗
ＳＷ１，ＳＷ２…スイッチ（スイッチ手段）
Ｔ１，Ｔ２…サーミスタ（温度検出手段）
【図１】
2013187969.tif 000003
【図２】
2013187969.tif 000004
【図３】
2013187969.tif 000005
【図４】
2013187969.tif 000006